(57)【要約】      （修正有）【課題】遠隔地の火災の発生を火災警報器付帯の携帯電話から指定先携帯電話へ警報音で知らせる自動通報機能付き煙式・熱式・炎式火災警報器を提供する。【解決手段】煙・熱・炎や他のセンサーを接続して感知する感知部５と音や光などによって近くの人に火災を知らせる警報部とから構成される住宅用防災警報器１と、Ａ／Ｂいずれの接点入力ができ、且つ接点の状態変化を検知し、指定先電話番号に自動ダイヤルすることができる携帯電話２とを平型または丸型プラグに構成されている外部入力端子６付きの自動通報回路基板４付イヤホンマイク３で一体に接続したものである。【選択図】図２
0003132076.tif 000002
【実用新案登録請求の範囲】
【請求項１】
住宅用防災警報器と携帯電話とを自動通報回路基板付イヤホンマイクで一体に接続したことを特徴とする自動通報機能付き煙式、熱式、炎式火災警報器。
【請求項２】
住宅用防災警報器と携帯電話とを外部入力端子付きの自動通報回路基板付イヤホンマイクで一体に接続したことを特徴とする自動通報機能付き煙式、熱式、炎式火災警報器。
【請求項３】
前記住宅用防災警報器は、煙や熱、炎を感知する感知部と、音や光などによって近くの人に火災を知らせる警報部とから構成されることを特徴とする請求項１又は２記載の自動通報機能付き煙式、熱式、炎式火災警報器。
【請求項４】
前記携帯電話は、外部入力端子付きの自動通報回路基板付イヤホンマイクを介して、Ａ／Ｂいずれの接点入力ができ、且つ接点の状態変化を検知し、指定先電話番号に自動ダイヤルすることができることを特徴とする請求項２記載の自動通報機能付き煙式、熱式、炎式火災警報器。
【請求項５】
前記外部入力端子付きの自動通報回路基板付イヤホンマイクは、平型または丸型プラグに構成されていることを特徴とする請求項２記載の自動通報機能付き煙式、熱式、炎式火災警報器。
【考案の詳細な説明】
【技術分野】
【０００１】
本考案は、火災の発生や不審者侵入などの異状事態を火災警報器付帯の携帯電話から指定先携帯電話へ警報音で知らせる自動通報機能付き煙式、熱式、炎式火災警報器に関する。
【背景技術】
【０００２】
従来、警戒エリアにおいて、火災エリアとの位置関係に応じた的確な情報を個別に通報する携帯電話を利用した緊急通報システムが知られている（特許文献１を参照）。
この公知技術では、火災報知器の発報エリアを特定する発報エリア特定手段と、携帯電話子機の位置を検出する携帯電話位置検出手段と、発報エリア特定手段により発報エリアが特定されたとき、該発報エリアに対応して警戒エリアを判定し、携帯電話位置検出手段により検出された携帯電話子機の位置が警戒エリアにあるとき、当該携帯電話子機に対し緊急メッセージを送信し、ＰＨＳ子機を携帯する者に個別に火災発生エリアとの位置関係に応じて的確なメッセージを送信するものである。
しかし、上記公知技術は、火災報知器の発報を警戒エリア、例えば同じ高層ビル内の滞留者に緊急通報するＰＨＳ子機を利用した緊急通報システムであり、遠隔地のビル管理者に知らせるものではなかった。
【特許文献１】特開２００１−２１６５９１号公報
【考案の開示】
【考案が解決しようとする課題】
【０００３】
本考案は、遠隔地の火災の発生を火災警報器付帯の携帯電話から指定先携帯電話へ警報音で知らせる自動通報機能付き煙式、熱式、炎式火災警報器を提供することを目的とする。
【課題を解決するための手段】
【０００４】
本考案の自動通報機能付き煙式、熱式、炎式火災警報器は、火災を検知すると住宅用防災警報器から出力される接点信号のＡ接点またはＢ接点の状態変化を検知して通信回路基板付きイヤホンマイクを介し、携帯電話から指定先電話に自動ダイヤルできるものである。本考案の住宅用防災警報器は、煙、熱、炎など火災を感知する感知部と、自動通報回路基板付には、他のセンサー、例えば人や熱を感知する赤外線センサーを接続できる外部入力端子を装着し、煙・熱・炎以外に人体検知やドアの開閉検知も感知可能として、異常事態の発生を、音や光などによって近くの人に火災を知らせる警報部とから構成されるものである。
【考案の効果】
【０００５】
本考案の自動通報機能付き煙式、熱式、炎式火災警報器は、遠隔地の火災の発生を火災警報器付帯の携帯電話から指定先携帯電話へ警報音で知らせるので、管理者・警備会社・災害監視指令センターでは受信した電話番号から異常発信場所を特定、あるいは受話器から聞こえる非常ベル音などから現場の状況を知ることができ、異常状況に対応した行動を取ることができる効果があり、高齢者や身体障害者宅で火災が発生した場合、消防署への消火要請が速やかかにできない事も想定され、近親者や知人に自動通報される事で、異常状況に対応した行動を取ることができる効果がある。また火災以外にも、自動通報回路基板には、他のセンサーを接続できる外部入力端子を装着しているので、不審者の侵入などセキュリティ用途としても効果を期待できる。
【考案を実施するための最良の形態】
【０００６】
本考案の自動通報機能付き煙式、熱式、炎式火災警報器の一実施例を添付図面に基づいて、以下に説明する。
図１は、本考案の自動通報機能付き煙式、熱式、炎式火災警報器の概略図であり、１は住宅用防災警報器、２は住宅用防災警報器付帯の携帯電話、Ｐは遠隔地の受信電話である。
前記住宅用防災警報器１は、例えば光電素子の受光量の変化を利用し、周囲の空気が一定濃度以上の煙を含んだときに作動する光電式の、煙を感知する感知部・設定された温度（熱）を感知する感知部・炎を感知する感知部と、外部入力端子に接続されたセンサーから得られる異状事態の情報を、音や光などの非常ベル音や非常回転灯によって近くの人に火災を知らせる警報部等とから構成される。
前記携帯電話２は、外部入力端子付きの自動通報回路基板付イヤホンマイクを使用してハンズフリーで会話のできる機種で、Ａ／Ｂいずれの接点入力ができ、且つ接点の状態変化を検知し、指定先電話番号に自動ダイヤルすることができるものである。
前記受信電話Ｐは、固定電話又は携帯電話のどちらでも良いが、ナンバーデスプレー表示機能搭載の電話機や携帯電話の場合は話中や圏外でも安心な転送設定やキャッチホンサービスが利用できるものが良い。
【０００７】
図２は、本考案の自動通報機能付き外部センサー入力端子を装着した火災警報器の住宅用防災警報器の裏蓋を外した概略図であり、１は住宅用防災警報器、２は住宅用防災警報器付帯の携帯電話、３は外部入力端子６付きの自動通報回路基板４付きイヤホンマイク、５は人や熱を感知する赤外線センサーである。
なお、前記住宅用防災警報器１は、イヤホンマイク３、自動通報回路基板４、外部入力端子６、電池７が見えるように裏返しにし、裏蓋８を外した状態で示している。
前記外部入力端子６付きの自動通報回路基板４付イヤホンマイク３は、ハンズフリーで会話ができるように平型または丸型プラグに構成されている。
【０００８】
次に、本考案の自動通報機能付き煙式、熱式、炎式火災警報器の操作動作を添付図面に基づいて、以下に説明する。
本考案の自動通報機能付き煙式、熱式、炎式火災警報器を遠隔地である、例えば神社寺院、重要文化財、無人倉庫、建築中の建物、飲食店、高齢者住宅、別荘などに設置する。
住宅用防災警報器１付帯の携帯電話２には、あらかじめ非常時に通報したい指定先電話番号を入力しておき、住宅用防災警報器１と赤外線センサー５を外部入力端子６に接続、外部入力端子６付きの自動通報回路基板４付イヤホンマイク３を介して一体に接続する。
【０００９】
火災が発生すると、住宅用防災警報器１の感知部が煙・熱・炎を感知し、また赤外線センサー５やドアセンサーが人を感知すると、警報部等により非常ベル音や非常回転灯によって近くの人に火災を知らせると共に、指定先電話番号に自動ダイヤルを行う。
管理者・警備会社・災害監視指令センターの受信電話Ｐでは、ナンバーデスプレー表示の送信先電話番号及び受話器の非常ベル音から神社寺院、重要文化財、無人倉庫、建築中の建物、飲食店、高齢者住宅、別荘などの火災を知り、消防署に消火要請ができる。また必要に応じて警察などへの出動要請ができる。
【００１０】
このように、本考案の自動通報機能付き煙式、熱式、炎式火災警報器は、遠隔地の火災発生や不審者侵入その他、非常事態を住宅用防災警報器１付帯の携帯電話２から指定先携帯電話へ警報音で知らせるので、管理者・警備会社・災害監視指令センターでは受信した電話番号から異常発信場所を特定、あるいは受話器から聞こえる非常ベル音などから現場の状況を知ることができ、異常状況に対応した行動を取ることができる。
【図面の簡単な説明】
【００１１】
【図１】本考案の自動通報機能付き煙式、熱式、炎式火災警報器の概略図である。
【図２】本考案の自動通報機能付き外部センサー入力端子を装着した火災警報器の概略図である。
【符号の説明】
【００１２】
１  住宅用防災警報器
２  携帯電話
３  イヤホンマイク
４  自動通報回路基板
５  赤外線センサー
６  外部入力端子
７  電池
８  裏蓋
Ｐ  受信電話
【図１】
0003132076.tif 000003
【図２】
0003132076.tif 000004